(57)【要約】　　　（修正有）【課題】接地開閉器の固定接触部の配置構成を改良し、容器内のデットスペースを有効に利用して、主回路抵抗、絶縁抵抗等の測定機能を持った、品質の向上されたガス絶縁開閉器を提供する。【解決手段】絶縁ガスを封入した容器２内に配置した母線導体３と直交する方向に導体３ｂを導出して固定接触部４を設け、対向した位置に可動接触部５を設け、固定接触部４に対して、接離自在に可動接触子９を設け、その一方端に接地開閉器１６用の可動接触子１３を設け、これに対向した位置に接地開閉器１６用の固定接触部１５を設け、断路部１と接地開閉器１６の可動接触子１３が一体となって連動する三位置断路器を構成するガス絶縁開閉器において、接地開閉器１６用の固定接触部１５を容器２外に設けた絶縁端子１７にて絶縁支持された接続導体１８で容器２外に引き出すようにする。【選択図】　図１
2004120974.tif 000002
【特許請求の範囲】
【請求項１】
絶縁ガスを封入した容器内に配置した母線導体と直交する方向に導体を導出し、この導体に断路部の固定接触部を設け、対向した位置に可動接触部を設け、前記断路部の固定接触部に対して、接離自在に可動接触子を設け、この可動接触子を駆動する操作装置が配置され、前記断路部の可動接触子の一方端に接地開閉器用の可動接触子を設け、これに対向した位置に接地開閉器用の固定接触部を設け、断路部と接地開閉器の可動接触子が一体となって連動する三位置断路器を構成するガス絶縁開閉器において、接地開閉器用の固定接触部を容器外に設けた絶縁端子にて絶縁支持された接続導体で容器外に引き出したことを特徴とするガス絶縁開閉器。
【請求項２】
接地開閉器の可動接触子の中心軸より偏芯させて絶縁端子を設けたことを特徴とする請求項１に記載のガス絶縁開閉器。
【請求項３】
接地開閉器の固定接触部の接続導体をタンク内のデッドスペースに導出したことを特徴とする請求項１に記載のガス絶縁開閉器。
【請求項４】
接地開閉器の可動接触子の中心軸に対して直角方向に接続導体を引き出したことを特徴とする請求項１に記載のガス絶縁開閉器。
【請求項５】
絶縁ガスを封入した容器内に配置した母線導体と直交する方向に導体を導出し、この導体に断路部の固定接触部を設け、対向した位置に可動接触部を設け、前記断路部の固定接触部に対して、接離自在に可動接触子を設け、この可動接触子を駆動する操作装置が配置され、前記断路部の可動接触子の一方端に接地開閉器用の可動接触子を設け、これに対向した位置に接地開閉器用の固定接触部を設け、断路部と接地開閉器の可動接触子が一体となって連動する三位置断路器を構成するガス絶縁開閉器において、接地開閉器用の固定接触部を容器外に設けた絶縁端子にて絶縁支持された接続導体で容器外に引き出し、この接続導体と容器とを接続するシャントを接地開閉器の可動接触子と偏芯して設けたことを特徴とするガス絶縁開閉器。
【発明の詳細な説明】
【０００１】
【発明の属する技術分野】
本発明は発電所、変電所などの電気所において使用されるガス絶縁開閉器に関するもので、特に断路器、接地開閉器の絶縁端子の配置構成を改良したガス絶縁開閉器に関する。
【０００２】
【従来の技術】
大都市周辺あるいは臨海地区に建設される変電所、開閉所においては、用地の入手難や塩害対策上の理由から、変電所や開閉所を構成する開閉装置として小型化と絶縁信頼性の向上を図ったガス絶縁開閉装置が用いられている。
ガス絶縁開閉装置は、金属製の接地容器内に機器本体と共にＳＦ６ガスなどの不活性絶縁ガスを加圧封入し絶縁を図っている。
【０００３】
ガス絶縁開閉装置を構成する機器としては、ガス絶縁母線、ガス絶縁遮断器、ガス絶縁断路器などの各種の構成機器があり、これらの構成機器を所定の母線結線方式に従い、絶縁スペーサを介して接続、組立てることによりガス絶縁開閉装置を構成している。
【０００４】
この種のガス絶縁開閉装置は、遮断器、断路器などの構成機器が立体的に配置されるため、各機器相互間の間隔を狭め、据付面積や据付容積の大幅な縮小を図ることができ、気中絶縁方式の開閉装置に比べて著しく小型に構成することができる。
【０００５】
また、近年、自然と住宅との環境調和を考え、これらのガス絶縁開閉装置をビル建屋内、または大都市における地下空間へ建設する傾向が増加している。そこで、構成機器を合理的に配置し、据付面積あるいは据付容積をより縮小することにより、ガス絶縁開閉装置を含めた建設費用をいかに低減するかが大きな課題となっている。
【０００６】
このようなガス絶縁開閉装置における従来のガス絶縁断路器の構成例を図６に示す。図６において、母線一体形のガス絶縁断路器１は、ＳＦ６ガスなどの絶縁ガスＧを封入した容器２内に母線導体３を容器２の中心軸２ａから偏芯させた導体軸３ａを中心として絶縁スペーサ２１ａ、２１ｂを介して配置している。前記母線導体３からほぼ直角に導出する導体３ｂに母線導体３とほぼ平行に断路器の固定接触部４を設け、前記固定接触部４と対向して筒状の可動接触部５が設けられ、断路部１ａを構成している。
【０００７】
母線導体３の長手方向に対して直角方向に、断路部１ａの可動接触部５より導出した可動接触部導体６が容器２の内部に設けられ、容器２のフランジ７に絶縁スペーサ８を介して絶縁支持されている。この可動接触部導体６は図示しない他のガス絶縁電機機器に接続される。前記断路部１ａの固定接触部４と可動接触部５との間には両接触部間を開閉する可動接触子９が設けられ、可動接触部５内に摺動自在に挿入されている。
【０００８】
この可動接触子９にはラック１０が形成され、容器２外部には、図示しない操作装置が配置され、この操作装置に連結された絶縁ロッド１１にはピニオン１２が形成され、このピニオン１２を前記ラック１０に噛み合わせることで可動接触子９を駆動して開閉動作を行う。
また断路部１ａの可動接触子９は一方端を固定接触部４に対する接触子とし、他方端には接地開閉器用の可動接触子１３が一体に設けられている。
【０００９】
可動接触子１３を内蔵する可動接触部５と対向した側の容器２のフランジ１４側には可動接触子１３と接触する固定接触部１５が絶縁スペーサ２１ｂに設けられ、接地電位をとる接地開閉器１６を構成し、可動接触部５と固定接触部１５との間を可動接触子９と可動接触子１３とが一体となって摺動自在に開閉するいわゆる三位置断路器を構成する。
【００１０】
【発明が解決しようとする課題】
しかしながら、上記のような構成を有する従来のガス絶縁開閉器においては、接地開閉器１６は断路部１ａの開極時、可動接触子１３と固定接触部１５とが接触し、可動接触部５の充電電荷の放電機能や短時間電流の通電能力はあるが、接地開閉器１６としては主回路抵抗、絶縁抵抗等の測定機能が必要となった場合の対応ができないと言う問題点がある。
【００１１】
本発明は、上記のような欠点を除去し、接地開閉器の固定接触部の配置構成を改良し、容器内のデットスペースを有効に利用して、主回路抵抗、絶縁抵抗等の測定機能を持った、品質の向上されたガス絶縁開閉器を提供することを目的とする。
【００１２】
【課題を解決するための手段】
上記目的を達成するために、請求項１に記載の発明は、絶縁ガスを封入した容器内に配置した母線導体と直交する方向に導体を導出し、この導体に断路部の固定接触部を設け、対向した位置に可動接触部を設け、前記断路部の固定接触部に対して、接離自在に可動接触子を設け、この可動接触子を駆動する操作装置が配置され、前記断路部の可動接触子の一方端に接地開閉器用の可動接触子を設け、これに対向した位置に接地開閉器用の固定接触部を設け、断路部と接地開閉器の可動接触子が一体となって連動する三位置断路器を構成するガス絶縁開閉器において、接地開閉器用の固定接触部を容器外に設けた絶縁端子にて絶縁支持された接続導体で容器外に引き出したことを特徴とする。
【００１３】
この発明によれば、接地開閉器用の固定接触部を容器外に設けた絶縁端子にて直接ガス気密に絶縁支持するように構成したことにより、主回路抵抗、絶縁抵抗などの測定機能を有する。
【００１４】
請求項２に記載の発明は、請求項１に記載のガス絶縁開閉器において接地開閉器の可動接触子の中心軸より偏芯させて絶縁端子を設けたことを特徴とする。
この発明によれば、容器内のスペースを有効に利用して母線導体等の接続スペースが容易に確保できる。
【００１５】
請求項３に記載の発明は、請求項１に記載のガス絶縁開閉器において、接地開閉器の固定接触部の接続導体を容器内のデッドスペースに導出したことを特徴とする。
この発明によれば、容器内のデッドスペース部に接地開閉器の固定接触部の導体が構成されデッドスペースが有効に利用できる。
【００１６】
請求項４に記載の発明は、請求項１に記載のガス絶縁開閉器において、接続導体を接地開閉器の可動接触子の中心軸に対して直角方向に導出して設けたことを特徴とする。
この発明によれば、容器内のデッドスペース部に接地開閉器の固定接触部の導体が構成されデッドスペースが有効に利用できる。
【００１７】
請求項５に記載の発明は、絶縁ガスを封入した容器内に配置した母線導体と直交する方向に導体を導出し、この導体に断路部の固定接触部を設け、対向した位置に可動接触部を設け、前記断路部の固定接触部に対して、接離自在に可動接触子を設け、この可動接触子を駆動する操作装置が配置され、前記断路部の可動接触子の一方端に接地開閉器用の可動接触子を設け、これに対向した位置に接地開閉器用の固定接触部を設け、断路部と接地開閉器の可動接触子が一体となって連動する三位置断路器を構成するガス絶縁開閉器において、接地開閉器用の固定接触部を容器外に設けた絶縁端子にて絶縁支持された接続導体で容器外に引き出し、この接続導体と容器とを接続するシャントを接地開閉器の可動接触子と偏芯して設けたことを特徴とする。
この発明によれば、主回路抵抗、絶縁抵抗などの測定機能を有すると共に短時間電流の通電により発生する電磁力が可動接触子に働かないように作用する。
【００１８】
【発明の実施の形態】
以下本発明によるガス絶縁開閉器の実施の形態を図を参照して説明する。図１は本発明の第１の実施の形態によるガス絶縁開閉器を示す断面図で、図６に示す従来のガス絶縁断路器と同一部分には同一の符号を付す。
【００１９】
図１に示すように、本発明によるガス絶縁開閉器である母線一体形三位置断路器１は、ＳＦ６ガスなどの絶縁ガスＧを封入した容器２内に母線導体３を容器２の中心軸２ａから偏芯させた導体軸３ａを中心として絶縁スペーサ２１ａ、２１ｂを介して配置している。前記母線導体３からほぼ直角に導出する導体３ｂに母線導体３とほぼ平行に断路器の固定接触部４を設け、前記固定接触部４と対向して筒状の可動接触部５が設けられ、断路部１ａを構成している。
【００２０】
母線導体３の長手方向に対して直角方向に断路部１ａの可動接触部５より導出した可動接触部導体６が容器２の内部に設けられ、容器２のフランジ７に絶縁スペーサ８を介して絶縁支持されている。この可動接触部導体６は図示しない他のガス絶縁電機機器に接続される。前記断路部１ａの固定接触部４と可動接触部５との間には両接触部間を開閉する可動接触子９が設けられ、可動接触部５内に摺動自在に挿入されている。
【００２１】
この可動接触子９にはラック１０が形成され、容器２外部には、図示しない操作装置が配置され、この操作装置に連結された絶縁ロッド１１にはピニオン１２が形成され、このピニオン１２を前記ラック１０に噛み合わせることで可動接触子９を駆動して開閉動作を行う。
また断路部１ａの可動接触子９は一方端を固定接触部４に対する接触子とし、他方端には接地開閉器用の可動接触子１３が一体に設けられている。
【００２２】
可動接触子１３を内蔵する可動接触部５と対向した容器２のフランジ１４側に可動接触子１３と接触する固定接触部１５が設けられ、接地電位をとる接地開閉器１６を構成し、前記固定接触部１５は容器２外に設けた絶縁端子１７に一体的に固着される接続導体１８に接続し、絶縁スペーサ２１ｂに絶縁端子１７にてガス気密に支持され、容器２外に引き出されている。
【００２３】
接地開閉器１６の可動接触子１３と固定接触部１５の接触部間は可動接触子９と可動接触子１３が一体となって摺動自在に開閉して三位置断路器を構成し、可動接触子１３を固定接触部１５に投入することにより可動接触部５の電位は絶縁端子１７を介して容器２より絶縁されて容器２の外部に導出され接地電位にとられる。この導出された接続導体１８を介して主回路抵抗、絶縁抵抗の測定が可能となる。
【００２４】
この発明の実施の形態によれば、接地開閉器用の固定接触部１５を容器２外に設けた絶縁端子１７にて容器２に直接ガス気密に絶縁支持し、容器２外に引き出すように構成したことにより、主回路抵抗、絶縁抵抗の測定が可能となり、かつ最少部品で構成でき、絶縁端子部が小さくなり、スペースの有効利用ができる。
【００２５】
また図２に示すように、絶縁端子１７を接地開閉器１６の可動接触子１３の中心軸１３ａより偏芯させて配置するようにしてもよい。
このようにすると、母線導体３に別の導体１９を接続するような場合、接続スペースが十分に確保できる。
【００２６】
また、図３のように固定接触部１５と接続する接続導体１８を接地開閉器１６の可動接触子１３の中心軸１３ａに対して直角方向に引き出すように容器２内のデッドスペース２ｄ部に導出して絶縁端子１７に一体的に固着させ、絶縁端子１７を容器２に絶縁気密支持するようにしてもよい。
【００２７】
このようにすると、容器２内のデッドスペース２ｄ部に接地開閉器１６の固定接触部１５の導体と接続する接続導体１８が配置されデッドスペース２ｄの有効利用が図れる。
【００２８】
次に本発明の第２の実施の形態について図４を参照して説明する。図４に示すように、前記絶縁端子１７を接地開閉器１６の可動接触子１３の中心軸１３ａより偏芯させ、絶縁スペーサ２１ｂに絶縁気密に接続配置し、可動接触子１３から固定接触部１５を介して接続導体１８に接続される電位を容器２に接地電位として接続させるシャント２０を設け、このシャント２０を接続導体１８と容器２間に可動接触子１３と偏芯させて接続する。
【００２９】
以上のようにこの発明の実施の形態によれば、可動接触子１３の電位を容器２に接地電位として接続させるシャント２０を可動接触子１３と偏芯させて容器２に接続することにより主回路抵抗、絶縁抵抗の測定が可能になると共に接続導体１８とシャント２０とが並列配置にならないため、例えば図５に示すようにシャント２０を容器２に可動接触子１３と同軸上に接続した場合は、接続導体１８とシャント２０とが並列配置になり接続導体１８とシャント２０には短時間電流通電時の電磁力が作用することになるが、本発明の第２の実施の形態によれば短時間電流の通電により発生する電磁力が可動接触子に作用せず、品質の向上が図れる。
【００３０】
【発明の効果】
以上のような本発明によれば、絶縁ガスを封入した容器内に配置した母線導体と直交する方向に導体を導出し、この導体に断路部の固定接触部を設け、対向した位置に可動接触部を設け、前記断路部の固定接触部に対して、接離自在に可動接触子を設け、この可動接触子を駆動する操作装置が配置され、前記断路部の可動接触子の一方端に接地開閉器用の可動接触子を設け、これに対向した位置に接地開閉器用の固定接触部を設け、断路部と接地開閉器の可動接触子が一体となって連動する三位置断路器を構成するガス絶縁開閉器において、接地開閉器用の固定接触部を容器外に設けた絶縁端子にて絶縁支持された接続導体で容器外に引き出すようにしたので、接地開閉器の固定接触部の配置構成を改良し、容器内のデットスペースを有効に利用して、主回路抵抗、絶縁抵抗等の測定機能を持った、品質の向上されたガス絶縁開閉器を得ることができる。
【図面の簡単な説明】
【図１】本発明の第１の実施の形態によるガス絶縁開閉器を示す断面図。
【図２】本発明の１の実施の形態によるガス絶縁開閉器の変形例を示す断面図。
【図３】本発明の１の実施の形態によるガス絶縁開閉器の変形例を示す断面図。
【図４】本発明の第２の実施の形態によるガス絶縁開閉器を示す断面図。
【図５】本発明の第２の実施の形態によるガス絶縁開閉器の作用を説明するための断面図。
【図６】従来のガス絶縁開閉器を示す断面図。
【符号の説明】
１…断路器、２…容器、３…母線導体、４…断路器の固定接触部、５…断路器の可動接触部、９…可動接触子、１３…接地開閉器の可動接触子、１５…接地開閉器の固定接触部、１６…接地開閉器、１７…絶縁端子、１８…接続導体、２０…シャント、２１ａ、２１ｂ…絶縁スペーサ。
【図１】
2004120974.tif 000003
【図２】
2004120974.tif 000004
【図３】
2004120974.tif 000005
【図４】
2004120974.tif 000006
【図５】
2004120974.tif 000007
【図６】
2004120974.tif 000008